【手続補正書】
【提出日】平成29年1月20日(2017.1.20)
【手続補正１】
【補正対象書類名】明細書
【補正対象項目名】００１８
【補正方法】変更
【補正の内容】
【００１８】
本発明では、受信制御手段は、受信手段を制御して測時受信処理または測位受信処理を実行する。ＲＮＳＳ衛星から送信される衛星信号を受信可能な地域で測時受信処理を行う場合は、受信制御手段は、ＲＮＳＳ衛星を優先的に検索する。一方、測位受信処理の際は、ＲＮＳＳ衛星から送信される衛星信号を受信可能な地域であっても、受信制御手段は、ＲＮＳＳ衛星を優先的に検索せず、ＧＮＳＳ衛星を優先して検索する。測時受信処理では、１つの位置情報衛星の衛星信号を受信するのみで時刻情報を取得できるため、ＲＮＳＳ衛星を優先的に検索することで、ＲＮＳＳ衛星を捕捉できる場合には、位置情報衛星を短時間で捕捉でき、現在時刻を迅速に取得することができる。
一方、測位受信は、通常、タイムゾーンが異なる地域に移動した場合に行われることが多い。また、現在、すべてのタイムゾーンにおいて、ＲＮＳＳ衛星を受信できる国や地域は少ない。したがって、ユーザーがタイムゾーンの異なる国や地域に移動した場合、ＲＮＳＳ衛星を受信できる地域である可能性は低くなる。このため、ＲＮＳＳ衛星を優先的に検索しても、ＲＮＳＳ衛星から送信される衛星信号を受信できる可能性が低いので、測位受信時には、ＲＮＳＳ衛星を優先的に検索しないことにより、位置情報衛星の検索にかかる時間を短縮できる可能性が高まる。したがって、位置情報衛星を捕捉して衛星信号を受信し、受信した衛星信号に基づいて位置情報を算出するまでの時間を短縮することができる。
【手続補正２】
【補正対象書類名】明細書
【補正対象項目名】００８３
【補正方法】変更
【補正の内容】
【００８３】
また、ステップＳ１３において、手動受信制御部４１２がユーザーによりボタン７３が第２設定時間押されていないと判定すると（Ｓ１３でＮＯ）、手動受信制御部４１２は、ステップＳ１１の処理に戻る。すなわち、手動受信制御部４１２は、通常時刻表示モードにおいて、常にボタン７３が第１所定時間もしくは第２所定時間押されるか否かを監視し、ボタン７３がユーザーにより第１設定時間および第２設定時間押されない限り通常時刻を表示し続ける。
また、ステップＳ１２の測時受信処理およびステップＳ１４の測位受信処理が完了すると、手動受信制御部４１２は、通常時刻を表示する通常時刻表示モードに戻す。
【手続補正３】
【補正対象書類名】明細書
【補正対象項目名】００９０
【補正方法】変更
【補正の内容】
【００９０】
ステップＳ１２５において、位置情報衛星から送信される衛星信号の時刻情報の受信に成功したと判定すると（Ｓ１２５でＹＥＳ）、受信制御手段４１は、衛星信号から取得した時刻情報に基づいて現在時刻を修正する（Ｓ１２６）。まだ時刻情報を取得していなければ（Ｓ１２５でＮＯ）、受信制御手段４１は、受信開始から所定時間経過したか否か判定する（Ｓ１２７）。所定の時間とは、例えば、受信開始から６０秒に設定される時間である。所定時間が経過したと判定すると（Ｓ１２７でＹＥＳ）、受信制御手段４１は、測時受信処理を終了する。
一方、所定時間が経過していなければ（Ｓ１２７でＮＯ）、受信制御手段４１は、所定の衛星数が捕捉されたか否かを判定する（Ｓ１２８）。ここで、測時受信では、少なくとも１基の位置情報衛星から送信される衛星信号を取得することで時刻情報を取得できることから、例えば、２基の位置情報衛星を捕捉したか否かを検索する。衛星検索に要する消費電流は大きい為、所定の衛星数が捕捉されば検索を終了し、さらに、位置情報衛星を検索することがないので、無駄な消費電流を低減する事が可能である。これにより、所定の衛星数が捕捉できなかったと判定すると（Ｓ１２８でＮＯ）、受信制御手段４１は、所定回数検索を繰り返したか否かを判定する（Ｓ１２９）。
ここで、測時受信処理では、前述したように、最初に実行される位置情報衛星（ＧＰＳ衛星１００および準天頂衛星１０１）の検索は、感度閾値「−１３０ｄＢｍ」にて実行される。本実施形態では、感度閾値「−１３０ｄＢｍ」にて位置情報衛星（位置情報衛星から送信される衛星信号）が検索されない場合、通常、感度閾値を徐々に下げて、より受信レベルが低い衛星信号も取得できる処理がなされる。例えば、本実施形態では、感度閾値を「−１３５ｄＢｍ」、「−１４０ｄＢｍ」に下げて、最大３回の位置情報衛星の検索がなされる。
【手続補正４】
【補正対象書類名】明細書
【補正対象項目名】０１０３
【補正方法】変更
【補正の内容】
【０１０３】
ここで、タイムゾーンブロックとＱＺＳＳの準天頂衛星１０１の優先検索がされる地域との関係について説明する。図１２は、測位受信で求めた現在位置と地図データ上のブロックごとに対応付けられたタイムゾーンブロックと優先検索するＧＰＳ，ＱＺＳＳを示す図である。
すなわち、図１２には、地図データを所定の範囲ごとに区切られた８０個のブロックごとに設定されるタイムゾーンブロックと、そのタイムゾーンブロックのそれぞれにタイムゾーンとＧＰＳのＧＰＳ衛星１００もしくはＱＺＳＳの準天頂衛星１０１のいずれの位置情報衛星を優先検索すべきかが示されている。例えば、図６のステップＳ１４においてなされた測位受信処理により、位置情報が取得され、取得した位置情報が「５−Ｂ」のブロックに含まれていると判定された場合は、「５−Ｂ」のブロックは、タイムゾーン＋９と設定されているので、タイムゾーン＋９と判定される。また、ＱＺＳＳの準天頂衛星１０１を優先検索すべき地域であることがわかる。一方、取得した位置情報が「１−Ｈ」のブロックに含まれている場合は、「１−Ｈ」のブロックは、タイムゾーン＋６と設定されているので、タイムゾーン＋６と判定される。また、ＧＰＳのＧＰＳ衛星１００を優先検索すべき地域であることがわかる。すなわち、地域判定手段４３は、各タイムゾーンブロックで設定された優先検索するＧＰＳ，ＱＺＳＳ（図１２参照）に基づいて、ＱＺＳＳの準天頂衛星１０１から送信される衛星信号を受信できる地域であれば、準天頂衛星１０１を優先検索すべき地域であると判定する。
このタイムゾーンブロックとＱＺＳＳの準天頂衛星１０１の優先検索がされる地域との関係は、タイムゾーンデータ記憶部６８０に記憶されている。
【手続補正５】
【補正対象書類名】明細書
【補正対象項目名】０１１１
【補正方法】変更
【補正の内容】
【０１１１】
まず、受信制御手段４１は、図１４に示すように、地域判定手段４３によりＱＺＳＳの準天頂衛星１０１のみを検索するか否かを判定する（Ｓ１４０）。具体的には、これにより、準天頂衛星１０１のみを検索すると判定された場合（Ｓ１４０でＹＥＳ）、受信制御手段４１は、受信装置１２２を制御し、準天頂衛星１０１のみを検索する（Ｓ１４２）。具体的には、受信制御手段４１は、図１５（Ａ）に示すように、衛星番号（ＰＲＮ）１９３〜１９７の準天頂衛星１０１のみを順番に検索する。
一方、ステップＳ１４０により、地域判定手段４３によりＱＺＳＳの準天頂衛星１０１のみを検索しないと判定された場合（Ｓ１４０でＮＯ）、受信制御手段４１は、まず、衛星番号（ＰＲＮ）１〜３２のＧＰＳ衛星１００を検索する（Ｓ１４１）。そして、受信制御手段４１は、ＧＰＳ衛星１００の検索の後、衛星番号（ＰＲＮ）１９３，１９４の準天頂衛星１０１を検索する（Ｓ１４２）。すなわち、準天頂衛星１０１のみを検索しないと判定された場合、受信制御手段４１は、図１５（Ｂ）に示すように、ＧＰＳ衛星１００を検索した後、図１５（Ａ）に示すように、衛星番号（ＰＲＮ）１９３〜１９７の準天頂衛星１０１を順番に検索する。